(57)【要約】      （修正有）【課題】発光素子を有する照明管を天井や壁などに容易に取り付けることができ、作業性や安全性などを向上させることができる照明管の取り付け具及び照明装置を提供する。【解決手段】取り付け具３ａは、保持部として、第一の係止部３２、この係止部３２と対向して基部３１に一体的に形成され、係止部３２より弾性変形する係止部３６、及び、回動可能に基部３１に取り付けられ、係合により所定の位置に固定され、管体を保持する状態に係止部３６を保持する保持部材３７を有している。【選択図】図５
0003174090.tif 000002
【実用新案登録請求の範囲】
【請求項１】
発光素子、及び、前記発光素子を収容する管体を有する照明管を天井、壁面、棚等に取り付ける照明管の取り付け具であって、
固定用部分の形成された基部と、
この基部に形成され、前記管体の胴部と係合して該管体を着脱可能に保持する保持部と
を有し、
前記取り付け具どうしを連結する連結部が、前記取り付け具の基部に形成されたことを特徴とする照明管の取り付け具。
【請求項２】
前記連結部が、連結用凹部及び連結用凸部を有することを特徴とする請求項１に記載の照明管の取り付け具。
【請求項３】
前記連結用凹部が、前記基部の一方の所定の面の両側に形成され、前記連結用凸部が、前記基部の他方の所定の面の両側に形成されたことを特徴とする請求項２に記載の照明管の取り付け具。
【請求項４】
前記連結用凹部及び前記連結用凸部が、Ｔ字状に形成されたことを特徴とする請求項２又は３に記載の照明管の取り付け具。
【請求項５】
前記保持部が、前記基部に一体的に形成された第一の係止部、この第一の係止部と対向して前記基部に一体的に形成され、該第一の係止部より弾性変形する仮止め用係止部、及び、移動可能に前記基部に取り付けられ、係合により所定の位置に固定され、前記管体を保持する状態に前記仮止め用係止部を保持する保持部材を有することを特徴とする請求項１〜４のいずれか一項に記載の照明管の取り付け具。
【請求項６】
前記取り付け具が、前記照明管の落下を防止する落下防止手段を有することを特徴とする請求項１〜５のいずれか一項に記載の照明管の取り付け具。
【請求項７】
発光素子、及び、前記発光素子を収容する管体を有する照明管と、
上記請求項１〜６のいずれか一項に記載の取り付け具と
を備えたことを特徴とする照明装置。
【考案の詳細な説明】
【技術分野】
【０００１】
本考案は、照明管の取り付け具及び照明装置に関し、特に、発光素子を有する照明管を天井、壁面、棚等に容易に取り付けることができ、作業性や安全性などを向上させることができる照明管の取り付け具及び照明装置に関する。
【背景技術】
【０００２】
従来、室内などの照明には、蛍光灯照明装置が広く用いられてきた。
この蛍光灯照明装置は、予め天井などに配設された蛍光灯器具と、光源として、その蛍光灯器具に取り付けられる蛍光灯とを有している。
近年、蛍光灯に代わる光源として、省エネ性及び耐久性に優れたＬＥＤ照明管が注目されている。
【０００３】
ＬＥＤ照明管は、透明又は半透明の円筒管の中に、発光素子であるＬＥＤ（Ｌｉｇｈｔ  Ｅｍｉｔｔｉｎｇ  Ｄｉｏｄｅ）を所定間隔で配置し、外部からの電源の供給を受けて、それらＬＥＤを発光させるものである。このＬＥＤ照明管は、通常、直管型の蛍光灯とほぼ同様の形状を有している。
なお、ＬＥＤ照明管のなかには、円筒管の両端に口金が設けられており、この口金に複数本（通常、二本）のピンが突設形成されてものがある。これにより、ＬＥＤ照明管は、既設の蛍光灯器具に取り付け可能となっている。
【０００４】
また、ＬＥＤなどの発光素子を有する照明管は、優れた省エネ性及び耐久性などにより、今後、広く普及すると考えられている。このため、発光素子を有する照明管や、照明管の取り付け具などの周辺機器などに関して、様々な技術が提案されている。
本考案に関連する技術として、たとえば、特許文献１には、円柱状の蛍光ランプを挟持する挟持部を有するランプ保持部材の技術が開示されている。このランプ保持部材どうしは、一方に突設された回転軸が他方に形成された通路部に挿入されることにより、回転やスライド可能に連結される。
【０００５】
また、特許文献２には、反射板の両端側に開設した貫通孔に嵌めて着脱可能に取り付けた取付金具によって蛍光灯に装着する反射カバーの技術が開示されている。この取付金具は、線状又は帯状の金属線からなり、蛍光灯を挟持する湾曲した挟み片と、挟み片に固定された座金と、座金に設けた抜止め片とによって構成されている。
【０００６】
また、特許文献３には、蛍光ランプを挟み込むように支持する線状支持部材と、該線状支持部材をはめ込む台座とを備えたランプホルダの技術が開示されている。
【先行技術文献】
【特許文献】
【０００７】
【特許文献１】特開２００８−６６２８１号公報
【特許文献２】特開２０００−１８２４２８号公報
【特許文献３】特開平８−２７３４２５号公報
【考案の概要】
【考案が解決しようとする課題】
【０００８】
しかしながら、上述した特許文献１〜３の技術は、本考案に関連する技術ではあるものの、発光素子を有する照明管を天井や壁などに容易に取り付けることができないといった問題があった。
また、グリッド構造の照明装置（複数の直管型照明管を並設した照明装置）の場合、複数の照明管を位置決めされた状態で設置する必要があり、このような場合であっても、容易に、かつ、位置決めされた状態で照明管を天井などに容易に取り付ける必要があった。
さらに、照明管が長い場合や、照明管の設置場所が高所である場合などにおいては、作業性や安全性などを向上させることも要望されていた。
【０００９】
本考案は、以上のような問題などを解決するために提案されたものであり、発光素子を有する照明管を天井、壁面、棚等に容易に取り付けることができ、作業性や安全性などを向上させることができる照明管の取り付け具及び照明装置の提供を目的とする。
【課題を解決するための手段】
【００１０】
上記目的を達成するため、本考案の照明管の取り付け具は、発光素子、及び、発光素子を収容する管体を有する照明管を天井、壁面、棚等に取り付ける照明管の取り付け具であって、固定用部分の形成された基部と、この基部に形成され、管体の胴部と係合して該管体を着脱可能に保持する保持部とを有し、取り付け具どうしを連結する連結部が、取り付け具の基部に形成された構成としてある。
【００１１】
また、本考案の照明装置は、発光素子、及び、発光素子を収容する管体を有する照明管と、上記の取り付け具とを備えた構成としてある。
【考案の効果】
【００１２】
本考案の照明管の取り付け具及び照明装置によれば、発光素子を有する照明管を天井、壁面、棚等に容易に取り付けることができ、作業性や安全性などを向上させることができる。
【図面の簡単な説明】
【００１３】
【図１】図１は、本考案の第一実施形態にかかる照明装置を説明するための概略図であり、（ａ）は平面図を示しており、（ｂ）はＡ−Ａ矢視図を示している。
【図２】図２は、本考案の第一実施形態にかかる照明装置の照明管を説明するための概略斜視図を示している。
【図３】図３は、本考案の第一実施形態にかかる照明装置の取り付け具を説明するための概略図であり、（ａ）は平面図を示しており、（ｂ）は正面図を示しており、（ｃ）は背面図を示しており、（ｄ）は右側面図を示している。
【図４】図４は、本考案の第一実施形態にかかる照明装置の使用例を説明するための概略平面図を示している。
【図５】図５は、本考案の第二実施形態にかかる照明装置の取り付け具を説明するための概略図であり、（ａ）は平面図を示しており、（ｂ）はＢ−Ｂ断面図を示しており、（ｃ）はＣ−Ｃ断面図を示している。
【考案を実施するための形態】
【００１４】
［照明装置の第一実施形態］
図１は、本考案の第一実施形態にかかる照明装置を説明するための概略図であり、（ａ）は平面図を示しており、（ｂ）はＡ−Ａ矢視図を示している。
図１において、本実施形態の照明装置１は、一本のＬＥＤ照明管２、及び、二個の取り付け具３などを備えた構成としてある。
なお、本実施形態では、二個の取り付け具３を用いて、一本のＬＥＤ照明管２を取り付ける構成としてあるが、これに限定されるものではない。たとえば、図示してないが、ＬＥＤ照明管２が短い場合、一個の取り付け具３を用いて、一本のＬＥＤ照明管２を取り付けてもよく、あるいは、ＬＥＤ照明管２が長い場合、三個以上の取り付け具３を用いて、一本のＬＥＤ照明管２を取り付けてもよい。
【００１５】
（ＬＥＤ照明管）
図２は、本考案の第一実施形態にかかる照明装置の照明管を説明するための概略斜視図を示している。
図２において、ＬＥＤ照明管２は、ＬＥＤ２１、回路基板２２、ＬＥＤ２１を収容する管体２３、口金２４、及び、電源コード２５などを有している。
本実施形態では、発光素子として複数のＬＥＤ２１を使用しており、ＬＥＤ２１は、所定値以上の電圧を印加すると発光する。
なお、ＬＥＤ２１は、指向特性により、光の放射範囲が、一定の立体角の範囲に限られる。通常、回路基板２２のうちＬＥＤ２１が配置された面から垂直な方向を中心とする一定の立体角の範囲が、光の放射範囲となる。
また、発光素子は、ＬＥＤ２１に限定されるものではなく、たとえば、有機ＥＬ（エレクトロルミネッセンス）素子などでもよい。
【００１６】
回路基板２２は、管体２３の内部に配置された細長い矩形状であり、複数のＬＥＤ２１や、それらＬＥＤ２１に所定の電流を流すための電子回路（図示せず）が配設されている。
上記の電子回路は、通常、複数の電子部品とこれらを接続する配線とで構成されている。電子部品には、例えば、ＬＥＤ２１に所定量の電流を流すための抵抗や、ＬＥＤ２１に流れる電流を平準化するための平準化コンデンサなどがある。
【００１７】
管体２３は、断面形状がほぼ円形の直管としてある。この管体２３は、円弧状に形成された板部材を二枚組み合わせた構造としてあり、一方の板部材は、アルミニウムなどの金属製であり、他方の板部材は、透明又は半透明の樹脂製である。回路基板２２は、ＬＥＤ２１が他方の板部材を向くように、一方の板部材に取り付けられており、ＬＥＤ２１からの光は、樹脂製の板部材を介して放射される。
なお、管体２３は、断面形状がほぼ円形の直管であるが、これに限定されるものではない。たとえば、断面形状は、多角形、楕円、半円、あるいは、薄板状（断面がほぼ矩形状や三角形状などの薄板状）などでもよく、また、曲管や環状管などでもよい。
また、管体２３は、一部（他方の板部材）が透明又は半透明の樹脂製としてあるが、これに限定されるものではなく、たとえば、全体が透明又は半透明の材料（樹脂やガラスなど）であってもよい。
【００１８】
口金２４は、管体２３の端部を覆うほぼ円板状であり、嵌合、接着、溶着、螺着などにより管体２３の端部に取り付けられる。本実施形態のＬＥＤ照明管２は、既存の蛍光灯器具にも取り付けることができるように、口金２４の端面に一対のピン（部品番号を付与せず）が突設されている。
なお、本実施形態では、一対のピン（ＬＥＤ２１と電気的に接続されない、取り付け用のピン）を設けているが、これに限定されるものではなく、たとえば、一対のピンを設けない構成としてもよい。さらに、図示してないが、口金２４を設ける代わりに、管体２３の端部を半球状に形成してもよく、このようにすると、ＬＥＤ２１の光が口金２４に遮られることがなくなり、ＬＥＤ２１から放射された光をより有効に利用でき、また、斬新なデザイン性などにより、照明装置１の付加価値を向上させることができる。
【００１９】
電源コード２５は、一端が、ＬＥＤ用電源（図示せず）に接続されるとともに、他端が、管体２３の内部に収められた回路基板２２に接続されている。この電源コード２５の他端側は、たとえば、管体２３に形成された配線挿通部（図示せず）に挿入されている。
なお、ＬＥＤ用電源は、通常、商用交流電源の電圧値を所定の電圧値まで降圧する変圧器（トランス）や、交流を直流に変換する整流回路、整流された電流を平滑するための平滑回路などを備えている。
そして、電源コード２５は、そのＬＥＤ用電源から出力された直流電圧及び電流を、回路基板２２に配設された電子回路及びＬＥＤ２１に供給する。ただし、回路基板２２に配設された電子回路が交流により動作するときは、電源コード２５は、交流電圧及び電流を、その電子回路に供給する。この場合、ＬＥＤ用電源は、その電子回路の動作に適した交流電圧及び電流を出力する回路構成とされる。
【００２０】
（取り付け具）
図３は、本考案の第一実施形態にかかる照明装置の取り付け具を説明するための概略図であり、（ａ）は平面図を示しており、（ｂ）は正面図を示しており、（ｃ）は背面図を示しており、（ｄ）は右側面図を示している。
図３において、取り付け具３は、固定用部分としてのねじ用孔３１２、３１３の形成された基部３１、及び、基部３１に形成され、管体２３の胴部と係合して該管体２３を着脱可能に保持する保持部としての一対の係止部３２などを有している。
また、取り付け具３の材料は、通常、樹脂であるが、これに限定されるものではなく、たとえば、アルミニウムなどの金属でもよい。
なお、図３に示す取り付け具３は、材料を軽減するための凹部や、型割りを容易にするための開口部などを省略してあるが、適宜、上記の凹部や開口部を形成してもよい。
【００２１】
基部３１は、上方から見るとほぼ矩形状であり、ほぼ平坦な下面を有している。この下面は、ＬＥＤ照明管２が設置される天井や壁などと広い接触面積で接触するようにほぼ平坦としてあるが、これに限定されるものではなく、たとえば、設置場所の形状に対応した形状であってもよい。
また、基部３１の中央に、管体２３の形状に対応して湾曲した収容面３１１が形成されている。この収容面３１１は、断面形状がほぼ半円であり、中央に、ＬＥＤ照明管２の長手方向に沿って延びる複数（本実施形態では、６本）の滑り止め用凸部３１４が突設されている。この滑り止め用凸部３１４により、ＬＥＤ照明管２を強固に保持することができる。
【００２２】
ここで、好ましくは、滑り止め用凸部３１４をゴムなどの摩擦係数の大きい材料としてもよく、これにより、ＬＥＤ照明管２をより強固に保持することができる。
また、好ましくは、図２に示すように、管体２３の一方の板部材に長手方向に延びる凹凸を形成し、これらの凹凸と滑り止め用凸部３１４が係合する構成としてもよく、これにより、ＬＥＤ照明管２が自転方向に回転するといった不具合を確実に防止することができる。
【００２３】
また、基部３１は、中央にねじ用孔３１３が形成され、ＬＥＤ照明管２の長手方向と直交する方向の両側の二箇所にねじ用孔３１２が形成されている。これらのねじ用孔３１２、３１３には、通常、ねじやボルトなど（図示せず）が装入され、取り付け具３が天井や壁などに螺着される。
このようにすると、ＬＥＤ照明管２を取り付け具３に保持した状態であっても、基部３１の両側の二箇所のねじ用孔３１２を使用することにより、取り付け具３を固定でき、また、ＬＥＤ照明管２を取り付け具３に保持していない状態においては、基部３１の中央の一箇所のねじ用孔３１３を使用することにより、取り付け具３を固定できる。すなわち、設置状況や設置条件などに応じて柔軟に対応することができ、使い勝手などを向上させることができる。
なお、固定用部分とは、通常、ねじ用孔３１２、３１３であるが、これに限定されるものではなく、固定に用いられる部分であればよい。たとえば、図示してないが、溝に挿入されることにより固定される板状部分や、接着剤が塗布される接着面を有する部分などであってもよい。
【００２４】
保持部としての一対の係止部３２は、収容面３１１の両側（ＬＥＤ照明管２の長手方向と直交する方向の両側）に対向するように、基部３１と一体的に形成されている。係止部３２は、中央側に、管体２３の形状に対応して湾曲した曲面（収容面３１１を周方向に延長した曲面）を有し、外側に、ねじ用凹部３２２の形成された斜面３２１を有している。また、係止部３２の先端部どうしの距離は、管体２３の直径より微小距離（係止部３２及び／又は管体２３が弾性変形する所定の距離（通常、０．数ｍｍ〜数ｍｍ））だけ短くなっている。
このようにすると、一対の係止部３２及び／又は管体２３を弾性変形させつつ、管体２３を一対の係止部３２の間に係入させることができ、係入されたＬＥＤ照明管２は、一対の係止部３２によって挟持される。また、取り付け具３の構造が単純化されており、廉価な照明装置１を提供することができる。
【００２５】
なお、「基部に形成される保持部」とは、通常、保持部（本実施形態では、一対の係止部３２）が基部３１と一体的に形成されることを意味するが、これに限定されるものではなく、たとえば、図示してないが、基部３１とは別に製造された保持部が、基部３１に取り付けられる構成であってもよい。
また、保持部（本実施形態では、一対の係止部３２）の数量は、通常、少なくとも二つであるが、これに限定されるものではなく、たとえば、図示してないが、釣り針状の一つの保持部を有する取り付け具を二つ以上使用して、ＬＥＤ２１を保持してもよい。
【００２６】
また、取り付け具３は、取り付け具３どうしを連結する連結部（本実施形態では、連結用凹部３３及び連結用凸部３４）が、基部３１に形成されている。すなわち、取り付け具３は、基部３１の正面（一方の所定の面とも呼ばれる。）の両側（ＬＥＤ照明管２の長手方向と直交する方向の両側）に、上方から見るとほぼＴ字状の連結用凹部３３が形成され、基部３１の背面（他方の所定の面とも呼ばれる。）の両側（ＬＥＤ照明管２の長手方向と直交する方向の両側）に、上方から見るとほぼＴ字状の連結用凸部３４が形成されている。この連結用凸部３４は、図４に示すように、連結用凹部３３に嵌入され、取り付け具３どうしを連結する。
さらに、連結用凸部３４は、基部３１の切り欠かれた部分（切欠部３４１）に突設されており、連結用凸部３４が連結用凹部３３に嵌入されると、この切り欠かれた部分（切欠部３４１）は、連結用凹部３３の形成された基部３１の部分（角部３３１）と係合し、取り付け具３どうしの連結をより強固にすることができる。
【００２７】
このようにすると、図４に示すように、複数のＬＥＤ照明管２を並べて設置する場合、連結用凸部３４を連結用凹部３３に係入させることによって、複数の取り付け具３を位置決めされた状態で、かつ、容易に取り付けることができる。したがって、グリッド構造の照明装置１ａ（複数の直管型のＬＥＤ２１を並設した照明装置）を容易に提供することができる。
また、図４においては、三本のＬＥＤ照明管２を並設しているが、並設するＬＥＤ照明管２の本数が、二本や四本以上の場合であっても、ＬＥＤ２１の本数に容易に対応することができる。
【００２８】
なお、本実施形態では、一つの基部３１に二つの係止部３２が形成され、一本のＬＥＤ２１を保持する構成としてあるが、これに限定されるものではなく、たとえば、図示してないが、一つの基部３１に四つ（あるいは六つ）の係止部３２が形成され、二本（あるいは三本）のＬＥＤ２１を保持する構成としてもよい。
また、連結用凹部３３及び連結用凸部３４を、上方から見るとほぼＴ字状の形状としてあるが、この形状に限定されるものではなく、たとえば、位置決めされた状態で、取り付け具３どうしが連結される形状であればよい。さらに、連結用凹部３３及び連結用凸部３４が形成される位置も、適宜、変更することができる。
【００２９】
また、取り付け具３は、ＬＥＤ２１の落下を防止する落下防止手段としての落下防止用ワイヤ３０（図１参照）及び一対のワイヤ係合部３５を有するとよい。この落下防止用ワイヤ３０は、両端部が外側に折り曲げられ、中央付近が管体２３の直径にほぼ対応する曲率半径で半円状に形成されている。また、一対のワイヤ係合部３５は、上方から見ると中央側に曲がったほぼ鉤状であり、基部３１の正面のほぼ中央部に対向して突設されている。
落下防止用ワイヤ３０は、ＬＥＤ照明管２が係止部３２に係入された後、図１（ｂ）に示すように、両端側の直線部分が、ばね力により外側に付勢された状態で一対のワイヤ係合部３５に係止される。係止された落下防止用ワイヤ３０は、両端部が外側に折り曲げられているので、地震や経年変化などによって、ＬＥＤ２１が落下するといった不具合を確実に防止することができる。
【００３０】
上記構成の照明装置１は、図１に示すように、天井や壁などに一対の取り付け具３を螺着し、ＬＥＤ照明管２を一対の係止部３２に係入し、落下防止用ワイヤ３０を取り付けることにより、容易にＬＥＤ２１を設置することができる。また、取り付け具３は、一体成形により製造されるので、廉価な照明装置１を提供することができる。
さらに、グリッド構造の照明装置１ａは、図４に示すように、連結用凸部３４を連結用凹部３３に係入させることにより取り付け具３どうしを連結できるので、位置決めされた状態で、かつ、容易に複数のＬＥＤ２１を設置できる。
【００３１】
以上説明したように、本実施形態の照明装置１によれば、ＬＥＤ２１を天井、壁面、棚等に容易に取り付けることができる。また、照明装置１は、ＬＥＤ２１の本数を容易に増減できるグリッド構造の照明装置１ａとしても適用でき、利便性などを向上させることができる。
【００３２】
［照明装置の第二実施形態］
図５は、本考案の第二実施形態にかかる照明装置の取り付け具を説明するための概略図であり、（ａ）は平面図を示しており、（ｂ）はＢ−Ｂ断面図を示しており、（ｃ）はＣ−Ｃ断面図を示している。
本実施形態の照明装置は、上述した第一実施形態の照明装置１と比べると、取り付け具３の代わりに、図５に示す取り付け具３ａを備えた点などが相違する。
なお、本実施形態の他の構成は、照明装置１とほぼ同様としてある。
また、図５に示す取り付け具３ａは、材料を軽減するための凹部や、型割りを容易にするための開口部などを省略してあるが、適宜、上記の凹部や開口部を形成してもよい。ただし、係止部３６の形状を理解しやすいように、開口部３２３を図示してある。
【００３３】
また、取り付け具３ａは、第一実施形態の取り付け具３と比べると、一方の（本実施形態では、左側の）係止部３２の代わりに、仮止め用の係止部３６（仮止め用係止部とも呼ばれる。）及び保持部材３７を有する点などが相違する。なお、取り付け具３ａの他の構成は、取り付け具３とほぼ同様としてある。
したがって、図５において、図３と同様の構成部分については同一の符号を付して、その詳細な説明を省略する。
【００３４】
第一実施形態の取り付け具３は、保持部として、一対の係止部３２を有していたが、本実施形態の取り付け具３ａは、保持部として、第一の（本実施形態では、右側の）係止部３２、この係止部３２と対向して基部３１に一体的に形成され、係止部３２より弾性変形する係止部３６、及び、回動可能に基部３１に取り付けられ、係合により所定の位置に固定され、管体２３を保持する状態に係止部３６を保持する保持部材３７を有している。
【００３５】
係止部３６は、先端部が係止部３２とほぼ対応する形状であるが、側面方向から見ると、下部が基部３１とつながっているほぼ矩形板状であり、板ばねのように機能し、係止部３２と比べると容易に弾性変形する。これにより、保持部材３７が所定の位置から回動して離れているとき（二点鎖線で示すように回動しているとき）、第一実施形態より小さな力で管体２３を係入させたり、あるいは、取り外すことができる。
また、係止部３６は、先端側の外面に、第二の係合部３７３と係合する第二の係合凸部３６１が突設されている。
【００３６】
また、保持部材３７は、左側の端部の両側面に、回動用凸部３７１が突設されており、回動用凸部３７１が基部３１の凹部（部品番号を付与せず）に係入されることにより、基部３１に対して回動する。この保持部材３７は、係止部３６の方向の両側に、第一の係合凸部３７２の突設された側板３７５を有しており、保持部材３７を係止部３６の方向に回動させると、第一の係合凸部３７２は、基部３１に形成された第一の係合凹部３１５と係合する。また、保持部材３７は、該保持部材３７のほぼ中央部に、ねじ用凹部３７６が形成されており、さらに、ねじ用凹部３７６より係止部３６の方向において、第二の係合部３７３が係止部３６の方向に突設され、取手３７４が上方に突設されている。
【００３７】
なお、保持部材３７は、回動可能に基部３１に取り付けられているが、これに限定されるものではなく、たとえば、図示してないが、係止部３６の方向に沿って往復移動可能に、基部３１に取り付けられていてもよい。
また、保持部材３７は、第一の係合凸部３７２及び第二の係合部３７３が、第一の係合凹部３１５及び第二の係合凸部３６１にそれぞれ係合することにより、所定の位置に固定される構成としてあるが、これに限定されるものではなく、たとえば、図示してないが、ばねなどにより付勢されることによって、所定の位置に保持される構成としてもよい。
さらに、本実施形態では、第一の係合凸部３７２及び第二の係合部３７３、並びに、第一の係合凹部３１５及び第二の係合凸部３６１を成形する構成としてあるが、これに限定されるものではなく、たとえば、第一の係合凸部３７２と第一の係合凹部３１５、あるいは、第二の係合部３７３と第二の係合凸部３６１の一方のみを成形してもよい。
【００３８】
上記構成の照明装置は、まず、天井や壁などに一対の取り付け具３ａが螺着される。次に、保持部材３７の固定を解除した状態で、ＬＥＤ照明管２を係止部３２と係止部３６との間に係入させて仮止めし、続いて、保持部材３７を係止部３６の方向に回動させて、第一の係合凸部３７２及び第二の係合部３７３を第一の係合凹部３１５及び第二の係合凸部３６１にそれぞれ係合させることにより、所定の位置に固定する。これにより、ＬＥＤ照明管２は、係止部３２及び係止部３６によって確実に保持される。さらに、ＬＥＤ照明管２が長く、かつ、ＬＥＤ照明管２の設置場所が高所である場合などにおいては、小さな力でＬＥＤ照明管２を仮止めでき、また、仮止めした状態で、保持部材３７を操作できるので、作業ミスなどによりＬＥＤ照明管２を落下させるといった事故を効果的に抑制することができる。
また、ＬＥＤ照明管２の取り外しを行う際、まず、所定の位置に固定された保持部材３７を係止部３６の方向と反対の方向に回動させて固定を解除し、次に、仮止め状態にあるＬＥＤ照明管２を係止部３２と係止部３６との間から容易に取り外すことができる。
【００３９】
以上説明したように、本実施形態の照明装置によれば、第一実施形態の照明装置１、１ａとほぼ同様の効果を奏するとともに、ＬＥＤ照明管２の取り付けを行う際には、第一実施形態より小さな力で、ＬＥＤ照明管２を係止部３２と係止部３６との間に係入させて仮止めすることができ、また、第一実施形態より小さな力で、仮止め状態のＬＥＤ照明管２を係止部３２と係止部３６との間から取り外すことができる。すなわち、ＬＥＤ照明管２が長い場合や、ＬＥＤ照明管２の設置場所が高所である場合などにおいて、作業性や安全性などを大幅に向上させることができる。
【００４０】
［照明管の取り付け具の一実施形態］
また、本考案は、照明管の取り付け具の考案としても有効である。
本実施形態の照明管の取り付け具は、上述した取り付け具３とほぼ同様な構成としてあり、ＬＥＤ２１、及び、ＬＥＤ２１を収容する管体２３などを有するＬＥＤ２１を、天井や壁などに容易に取り付けることができる。
なお、本実施形態の照明管の取り付け具は、取り付け具３とほぼ同様な構成としてあるので、その詳細な説明を省略する。
【００４１】
このように、本実施形態の照明管の取り付け具によれば、ＬＥＤ２１を天井、壁面、棚等に容易に取り付けることができるとともに、また、ＬＥＤ２１の本数を容易に増減できるグリッド構造の照明装置にも適用でき、利便性などを向上させることができる。
また、本考案の照明管の取り付け具は、本実施形態に限定されるものではなく、たとえば、上述した取り付け具３ａとほぼ同様な構成としてもよい。このようにすると、上述したように、小さな力で、ＬＥＤ照明管２を係止部３２と係止部３６との間に係入させて仮止めすることができ、また、小さな力で、仮止め状態のＬＥＤ照明管２を係止部３２と係止部３６との間から取り外すことができるので、作業性や安全性などを大幅に向上させることができる。
【００４２】
以上、本考案の照明管の取り付け具及び照明装置について、好ましい実施形態などを示して説明したが、本考案に係る照明管の取り付け具及び照明装置は、上述した実施形態などにのみ限定されるものではなく、本考案の範囲で種々の変更実施が可能であることは言うまでもない。
例えば、図示してないが、取り付け具３、３ａは、電源コード２５を収納する溝や、電源コード２５を天井や壁などの裏側に通すためのケーブル用孔などが形成される構成としてもよい。このようにすると、デザイン性や使い勝手を向上させることができる。
【００４３】
また、図示してないが、ＬＥＤ照明管２が、電源コード２５の代わりに、オスコネクタを有し、取り付け具３、３ａが、前記オスコネクタと接続されるメスコネクタ、及び、ＬＥＤ用電源と前記メスコネクタとを接続するケーブルを有する構成としてもよい。このようにすると、ＬＥＤ照明管２を取り付け具３、３ａに取り付けると、電気的にも接続されるので、取り付け具３、３ａの付加価値を向上させることができる。
【符号の説明】
【００４４】
１、１ａ  照明装置
２  ＬＥＤ照明管  
３、３ａ  取り付け具  
２１  ＬＥＤ  
２２  回路基板  
２３  管体  
２４  口金  
２５  電源コード  
３０  落下防止用ワイヤ  
３１  基部  
３２  係止部  
３３  連結用凹部  
３４  連結用凸部  
３５  ワイヤ係合部  
３６  係止部  
３７  保持部材  
３１１  収容面  
３１２  ねじ用孔  
３１３  ねじ用孔  
３１４  滑り止め用凸部  
３１５  第一の係合凹部  
３２１  斜面  
３２２  ねじ用凹部  
３２３  開口部  
３３１  角部  
３４１  切欠部  
３６１  第二の係合凸部  
３７１  回動用凸部  
３７２  第一の係合凸部  
３７３  第二の係合部  
３７４  取手  
３７５  側板  
３７６  ねじ用凹部  
【図１】
0003174090.tif 000003
【図２】
0003174090.tif 000004
【図３】
0003174090.tif 000005
【図４】
0003174090.tif 000006
【図５】
0003174090.tif 000007